(57)【特許請求の範囲】
【請求項１】
複数の板片とこれら板片同士を接続する折れ変形可能な屈曲線を有する敷板と、
中央領域が前記屈曲線と交差するよう前記敷板の下面に取り外し可能に取り付けられる棒部材と、
前記敷板の上面から１５ｃｍ以上立ち上がって敷板の上面を包囲する壁板とを備え、
前記敷板は矩形であり、当該矩形の４辺に対応する第１辺〜第４辺を輪郭線とし、これらのうち第１辺および第２辺は互いに平行に延び、これらのうち第３辺および第４辺は前記第１辺および第２辺と直交して延び、前記屈曲線は前記第１辺および前記第２辺と平行に延び、前記第３辺および前記第４辺にはこの辺と平行に延びる布または柔らかいシート製の筒状部材がそれぞれ固定され、
前記棒部材は、前記第３辺および前記第４辺と平行に延び、
前記壁板は、前記敷板の第１辺を折れ変形可能な境界線として前記敷板に取り付けられる板片である第１壁板と、前記敷板の第２辺を折れ変形可能な境界線として前記敷板に取り付けられる板片である第２壁板と、前記第３辺の筒状部材に取り外し可能に挿通される第３壁板と、前記第４辺の筒状部材に取り外し可能に挿通される第４壁板とを含む、ベビーベッド。
【請求項２】
前記第３辺の筒状部材は、両端で前記第１壁板および前記第２壁板にそれぞれ固定される、請求項１に記載のベビーベッド。
【請求項３】
前記第４辺の筒状部材は、両端で前記第１壁板および前記第２壁板にそれぞれ固定される、請求項１または２に記載のベビーベッド。
【請求項４】
前記敷板はその下面に固定されて前記棒部材が挿通される布または柔らかいシート製の筒状部材をさらに有する、請求項１〜３のいずれかに記載のベビーベッド。
【発明の詳細な説明】
【技術分野】
【０００１】
本発明は、ベビーベッドの敷板に関する。
【背景技術】
【０００２】
折り畳み可能なフレームを備え、持ち運びに資するよう軽量化され、不使用時にはコンパクトに折り畳まれるベビーベッドとして例えば特開２００８−１５４７５２（特許文献１）のごときものが知られている。特許文献１には、平板状のベッドプレートをフレームの上横枠に着脱可能に吊り下げ、ベッドプレート上に短尺な中空円柱状の保護カバーを載置し、保護カバーの内部に乳幼児を寝かせることが記載されている。
【先行技術文献】
【特許文献】
【０００３】
【特許文献１】特開２００８−１５４７５２号公報
【発明の概要】
【発明が解決しようとする課題】
【０００４】
しかし、特許文献１のベビーベッドにあっては、以下に説明するような問題を生ずる。つまり平板状のベッドプレートが、巨大な一枚の平板であるため、せっかくフレームをコンパクトに折り畳み可能にしても、不使用時にはベッドプレートが場所を取ってしまう。
【０００５】
また、特許文献１のベビーベッドにあっては、乳幼児を囲繞可能な保護カバーを用意するが、保護カバーは立体形状であり、不使用時にはある程度の場所を取る。そうすると不使用時には邪魔になってしまう。かといって折り畳み可能なように保護カバーを柔軟性に優れた素材にて構成すると、保護カバーが立体形状を維持できずに不所望な変形をきたしたり、耐久性が悪化したりする。
【０００６】
本発明は、使用時には面一にされ、不使用時には折り畳み可能なベビーベッドの敷板を提供することを第１の目的とする。また本発明は、特許文献１のような保護カバーを用いることなく、乳幼児を安全に寝かせることができる技術を提供することを第２の目的とする。
【課題を解決するための手段】
【０００７】
この目的のため本発明によるベビーベッドは、複数の板片とこれら板片同士を接続する折れ変形可能な屈曲線を有する敷板と、中央領域が敷板の屈曲線と交差するよう敷板の下面に取り外し可能に取り付けられる棒部材と、敷板の上面から１５ｃｍ以上立ち上がって敷板の上面を包囲する壁板とを備える。
【０００８】
敷板は矩形であり、当該矩形の４辺に対応する第１辺〜第４辺を輪郭線とし、これらのうち第１辺および第２辺は互いに平行に延び、これらのうち第３辺および第４辺は第１辺および第２辺と直交して延び、敷板の屈曲線は第１辺および第２辺と平行に延び、第３辺および第４辺にはこの辺と平行に延びる布または柔らかいシート製の筒状部材がそれぞれ固定される。棒部材は、敷板の第３辺および第４辺と平行に延びる。
【０００９】
壁板は、敷板の第１辺を折れ変形可能な境界線として敷板に取り付けられる板片である第１壁板と、敷板の第２辺を折れ変形可能な境界線として敷板に取り付けられる板片である第２壁板と、第３辺の筒状部材に取り外し可能に挿通される第３壁板と、第４辺の筒状部材に取り外し可能に挿通される第４壁板とを含む。
【００１０】
かかる本発明によれば、使用時には敷板を面一に広げるとよい。そして面一に広げられた敷板は、棒部材によって折れ変形不能に安定して支持される。また不使用時には敷板を折り畳むことが可能となり、ベビーベッドの敷板が場所を取らないようにすることができる。また壁板を備えることから、面一に広げた敷板上に寝ている乳幼児を壁板で囲繞することができ、乳幼児を安全に寝かせることができる。
【００１１】
また本発明によれば、矩形の敷板が折れ変形しないよう、敷板を棒部材で安定して支持することができる。なお、第３辺および第４辺は長方形の短辺であってもよいが、好ましくは長方形の長辺である。
【００１２】
壁板は一実施形態に限定されない。壁板は敷板から立ち上がるとともに垂れ下がって設けられてもよい。本発明によれば、敷板および壁板を１つの箱状体に構成することが可能となり、敷板の強度を向上することができる。しかも敷板および壁板が、上面を有しない５面の箱状体を構成することが可能となり、乳幼児を好適に支持して収容することができる。
【００１３】
本発明の第１壁板は敷板の第１辺を折れ変形可能な境界線として敷板と接続し、第２壁板は敷板の第２辺を折れ変形可能な境界線として敷板と接続する。かかる本発明によれば、敷板と壁板が連続することから、ベビーベッドの折り畳み作業および組み立て作業を円滑に行うことができる。これら壁板と敷板との取付構造はボタンや、テープや、面ファスナや、スライドファスナや、ブラケットなど、特に限定されない。また本発明によれば、第３辺および第４辺の筒状部材は壁板が挿通されない状態で敷板の屈曲線に追従して容易に折り畳まれる。したがって、敷板を容易に折り畳むことができる。またベビーベッドの使用状態で、第３および第４壁板が屈曲線と直交して敷板と連結されることから、敷板の折れ変形を一層防止することができる。
【００１４】
本発明の一実施形態として第３辺の筒状部材は、両端で第１壁板および第２壁板にそれぞれ固定される。本発明の他の実施形態として第４辺の筒状部材は、両端で第１壁板および第２壁板にそれぞれ固定される。かかる実施形態によれば、筒状部材の両端が第１壁板および第２壁板にそれぞれ固定される。したがって敷板および壁板が、上面を有しない５面の箱状体を構成することが可能となり、乳幼児を好適に支持して収容することができる。
【００１５】
敷板を面一に支持する支持構造は特に限定されないが、好ましい実施形態として、敷板はその下面に固定されて棒部材が挿通される布または柔らかいシート製の筒状部材を有する。かかる実施形態によれば、敷板を面一に支持することから、乳幼児を安定して支持することができる。しかも棒部材を取り外して敷板を折り畳む際に筒状部材は屈曲線に追従して折れ変形することから、敷板を支障なく折り畳むことができる。
【発明の効果】
【００１６】
このように本発明によれば、乳幼児を寝かせる寝台としても好適に使用可能である。
【図面の簡単な説明】
【００１７】
【図１】本発明の一実施例になるプレイヤードを示す平面図である。
【図２】同実施例のプレイヤードを示す正面図である。
【図３】同実施例のプレイヤードを示す側面図である。
【図４】同実施例のプレイヤードを示す下面図である。
【図５】同実施例のプレイヤードを展開して移動させる様子を示す正面図である。
【図６】同実施例のプレイヤードを折り畳んで移動させる様子を示す正面図である。
【図７】図２のＶＩＩ−ＶＩＩにおける断面を矢の向きに見た状態を示す図である。
【図８】棒部材とブラケットとの連結構造を取り出して示す平面図である。
【図９】同実施例の棒部材、敷板および壁板を取り出して示す分解斜視図である。
【図１０】本発明の他の実施例になるプレイヤードを示す平面図である。
【図１１】同実施例のプレイヤードを示す正面図である。
【図１２】同実施例のプレイヤードを示す側面図である。
【図１３】同実施例の棒部材、敷板および壁板を取り出して示す分解斜視図である。
【図１４】同実施例の敷板と壁板との連結箇所を拡大して示す断面図である。
【図１５】変形例の棒部材、敷板および壁板を取り出して示す分解斜視図である。
【図１６】同実施例の敷板と壁板との連結箇所を拡大して示す断面図である。
【発明を実施するための形態】
【００１８】
以下、本発明の実施の形態を、図面に示す実施例に基づき詳細に説明する。
【００１９】
図１〜図６は、本発明の一実施例であって、ベビーベッドとしても使用可能であるプレイヤードの全体概略を示す。このうち図１〜図５はプレイヤードが展開された使用状態を示し、図６はプレイヤードの折り畳み状態を示す。プレイヤード１０は、プレイヤード１０の骨格を構成するフレーム構造体１１と、フレーム構造体１１に取り付けられてフレーム構造体１１の外周を包囲する布状部材１２と、フレーム構造体１１に着脱可能に取り付けられた棒部材１３と、棒部材１３に支持される敷板４１とを備える。
【００２０】
本実施例のプレイヤード１０は、平面視略長方形であるため、便宜上、１対の長辺部分をプレイヤード一方側、プレイヤード他方側、プレイヤード左側、プレイヤード右側、プレイヤード側部、プレイヤード両側部、もしくはプレイヤード左右側部と称する。また１対の短辺部分をプレイヤード一端部、プレイヤード他端部、プレイヤード前端部、プレイヤード後端部、プレイヤード端部、プレイヤード両端部、もしくはプレイヤード前後端部と称する。プレイヤード１０は、乳幼児を遊ばせる枠囲いとして使用できるほか、後述するように乳幼児を寝かせる寝台としても好適に使用可能である。
【００２１】
まず、フレーム構造体１１につき説明すると、フレーム構造体１１は乳幼児を収容する空間の周囲を取り囲むように形成されて折り畳み可能であり、乳幼児収容空間の周囲に沿って間隔をおいて配置される複数の柱材１４と、隣り合う柱材同士を互いに連結する複数の横材１５Ｌ，１５Ｒ，１６とを含む。具体的にはフレーム構造体１１は上下方向に延びる４本の柱材１４と、プレイヤード両側部に設けられた１対の横材１５Ｌ，１５Ｒと、プレイヤード両端部に設けられた１対の横材１６，１６と、平面視において対角線となるよう配置されたクロスパイプ１７とを含む。平面視において、複数の柱材１４はフレーム構造体１１の外周に配置され、横材１５Ｌ，１５Ｒ,１６は隣り合う柱材１４，１４同士を互いに連結する。
【００２２】
乳幼児収容空間は平面視において矩形であり、柱材１４は平面視において当該矩形の四隅の角部で直立するよう配置される。プレイヤード一端部に配置された２本の柱材１４，１４間には、矩形の短辺を構成する横材１６が架設される。同様に、プレイヤード他端部に配置された２本の柱材１４，１４間にも、矩形の短辺を構成する横材１６が架設される。同様に、プレイヤード一方側に配置された２本の柱材１４，１４間には、矩形の長辺を構成する横材１５Ｒが架設される。具体的には、横材１６，１５Ｒの端部は柱材１４の上端部ブロック１４Ｂと回動可能に連結し、プレイヤードの折り畳み時には、横材１６,１５Ｒが柱材１４に近づくよう回動可能である。また横材１６,１５Ｒは、中央部に設けられた中央連結部材２０と、中央連結部材２０から長手方向一方へ延びるパイプと、中央連結部材２０から長手方向他方へ延びるパイプとで構成される。
【００２３】
プレイヤードの使用状態において、中央連結部材２０は中央連結部材２０から長手方向一方へ延びるパイプ１６１および長手方向他方へ延びるパイプ１６２をロックし、横材１６は図３に示すように一直線に保持される。しかし中央連結部材２０のロックを解除すると横材１６が中央部で折れ変形可能にされる。したがって、プレイヤード１０を折り畳むと中央連結部材２０から２本のパイプ１６１，１６２が上方へそれぞれ延び、横材１６がＶ字形状にされる。横材１５Ｒも同様に中央連結部材２０が設けられ、プレイヤードの使用状態では一直線にされ、プレイヤードの折り畳み状態では中央部で折れ変形する。そして図６に示すように、中央連結部材２０から２本のパイプが上方へそれぞれ延び、横材１５ＲはＶ字形状にされる。
【００２４】
矩形の長辺を構成する横材１５Ｌも同様に中央連結部材２０が設けられ、プレイヤードの使用状態において一直線に延びている。しかしプレイヤードの折り畳み状態では中央部で折れ変形する。したがって、プレイヤード１０を折り畳むと中央連結部材２０から２本のパイプが上方へそれぞれ延び、横材１５ＬはＶ字形状にされる。
【００２５】
なお、複数本の横材のうち横材１５Ｌのみ、プレイヤード他方側２箇所のスライド部材１８を介して、柱材１４に回動可能かつ摺動可能に連結される。具体的には、スライド部材１８に上下方向に延びる貫通孔が形成されて、この貫通孔に柱材１４が貫通し、１対のスライド部材１８は柱材１４に沿って摺動可能である。通常、スライド部材１８は留め具１９で摺動不能にされており、スライド部材１８がプレイヤード他方側に配置された１対の柱材１４の上端部にそれぞれ固定される。またスライド部材１８は横材１５Ｌの端部と回動可能に連結し、プレイヤードの折り畳み時には横材１５Ｌが柱材１４に近づくよう回動可能である。
【００２６】
留め具１９を引き出して１対のスライド部材１８を摺動可能とすると、横材１５Ｌは１対のスライド部材１８とともに下方へ移動し、図２に二点鎖線で示す位置にされ得る。これにより、プレイヤード１０への乳幼児の出し入れが容易になり、保護者はプレイヤード１０内の乳幼児に簡単に手をのばすことができる。なお保護者からみて横材１５Ｌは４本の横材のうち最も近い位置にあることから、前枠とも称する。
【００２７】
クロスパイプ１７は、Ｘ字形状であって、図４に示すように長方形のプレイヤード１０下面で、対角線状に配置される。クロスパイプ１７は、具体的に、Ｘ字の中央に配置された中央連結部材２３と、中央連結部材２３および各柱材１４と連結する４本のパイプ１７１〜１７４で構成される。パイプ１７１〜１７４の一方端は柱材１４とそれぞれ回動可能に連結する。またパイプ１７１〜１７４の他方端は中央連結部材２３とそれぞれ回動可能に連結する。図面の理解を容易にするため、図２、図３、および図５では中央連結部材２３の一部を断面にして表す。中央連結部材２３は、４本のパイプ１７１〜１７４が中央連結部材２３の下方へ向かうよう回動することを許容するが、中央連結部材２３の上方へ向かうよう回動することを規制する。このため図２および図３に示すように、プレイヤードの使用状態においてクロスパイプ１７はＸ字に展開された状態を保持することができる。また図６に示すように、プレイヤードの折り畳み状態において、４本のパイプ１７１〜１７４は中央連結部材２３の下方に集約され、クロスパイプ１７は小さく折り畳まれる。
【００２８】
プレイヤード他端に配置された２本の柱材１４，１４の下端には、車輪２１と、車輪２１の外周を包囲する車輪カバー２２が設けられる。車輪２１は車輪カバー２２の下端から突出してプレイヤード設置床面Ｓに接地する。また図２を参照して、車輪カバー２２のうちプレイヤード内側の一部２２ｓは、車輪カバー２２のうちプレイヤード外側の一部よりもさらに下方へ突出してプレイヤード設置床面Ｓに接地する。このため、プレイヤード設置床面Ｓにすべての柱材１４を接地させる通常の使用状態においては、車輪２１がプレイヤード設置床面Ｓで転動することが阻止される。
【００２９】
しかしながらプレイヤード１０を使用しないときなど、図５および図６に示すようにプレイヤード１０の一端部を持ち上げると、車輪カバー突出部２２ｓが設置床面Ｓから離れるとともに車輪２１が設置床面Ｓに接地する。このため、展開された状態および折り畳み状態のプレイヤード１０を傾け、プレイヤード一端部の柱材１４を床面Ｓから離し、プレイヤード他端部の柱材１４下端の車輪２１のみを接地させることによって容易にプレイヤード１０を運搬することができる。
【００３０】
これまで説明したように、横材１５Ｌ，１５Ｒ,１６は中央部でそれぞれ折れ変形可能であり、クロスパイプ１７は中央部で折れ変形可能であり、横材１５Ｌ，１５Ｒ,１６およびクロスパイプ１７の端部は柱材１４と回動可能に連結することから、フレーム構造体１１は、図１〜図５に示す展開された使用状態と、図６に示す折り畳み状態の２形態に変形することができる。
【００３１】
次に布状部材１２につき説明すると、布状部材１２は、０．５〜５ｍｍ程度の大きさの網目あるいはさらに肌理の細かなネットや、布地などの素材で形成され、４本の柱部材１４の間の４面にそれぞれ張設される。あるいは布状部材１２は、布以外の素材、例えばある程度透過性を有するビニールシートなどであってもよい。そして布状部材１２の上端は横材１５Ｌ，１５Ｒ，１６に吊り下げられる。また布状部材１２の下端はクロスパイプ１７と略同じ高さ位置にある。これにより布状部材１２は、クロスパイプ１７よりも上方に設けられる敷板４１を確実に囲繞する。
【００３２】
次に棒部材１３につき説明すると、棒部材１３は、プレイヤード両側部において直線状に延びる１対の直線棒状体であって、乳幼児の体重で曲がらないよう硬質の材料で形成され、水平な姿勢にされて、両端が柱材１４に取り付けられる。棒部材１３は、図２に実線および二点鎖線で示すように、柱材１４の下端部および中央部に選択的に取り付けることができる。
【００３３】
すなわち図２および図３を参照して、各柱材１４には高さ位置の異なる２個のブラケット３１,３２が取付固定される。ブラケット３１は柱材１４の下端領域にあってクロスパイプ１７よりもやや上方に固定される。ブラケット３２は、柱材１４の中央部に固定される。ブラケット３１，３２は棒部材１３の端部を支持する。硬質の棒部材１３は乳幼児の体重に加え乳幼児が活発に動く際の衝撃荷重にも耐え得るよう十分な曲げ強度およびせん断強度を有するパイプであり、両端部を除く中央領域が敷板４１下面に沿って延び、両端部がブラケット３１，３２に取り付けられる。これにより棒部材１３は、敷板４１上面に乗せられる乳幼児を安定して支持する。なお図面の理解を容易にするため、図２および図５では棒状体１３の外周を包囲する後述の筒状部材４２を省略して表す。
【００３４】
図７は図２のＶII−ＶIIにおける断面を矢の向きに見た状態を示す図であり、柱材１４と、柱材に固定されたブラケット３２と、棒部材１３と、棒部材に固定された係合部材３７が表される。また平面視の位置関係を表すため、棒部材１３に支持される敷板４１および壁板を二点鎖線で示す。
【００３５】
プレイヤード１０の四隅に取付固定されるブラケット３２は、棒部材１３の端部に固設された係合部材３７と係合する。ブラケット３２と係合部材３７を分解して示す図８を参照しつつ具体的に説明すると、ブラケット３２には、このブラケット３２が固定された柱材からみて１の隣り合う柱材を０度方向とし、他の隣り合う柱材を９０度方向として、４５度方向へ開口したスリット３３と、スリット３３よりも奥に形成された幅広の凹部３４が形成されている。凹部３４の幅はスリット３３の開口幅よりも広い。スリット３３は上下方向に延び、上端が開口し下端が閉じている。凹部３４も同様に上下方向に延び、上端が開口し下端が閉じている。
【００３６】
係合部材３７は、棒部材１３を含む水平面において棒部材１３の延在方向に対し１３５度の方向に指向する突起部３８を有する。突起部３８の根元には上下方向に延びる溝３９が両側に形成されている。このため突起部３８は、図８に示すように断面Ｔ字形状にされる。
【００３７】
ブラケット３２のスリット３３および凹部３４を被係合部とし、係合部材３７の突起部３８を係合部として、突起部３８をスリット３３および凹部３４の上端から挿し込むことにより、両者は互いに係合し、係合部材３７は水平方向移動不能にされる。そして係合部材３７はブラケット３２に支持される。また係合部材３７は上方へ引き上げられることにより、スリット３３および凹部３４との係合が解除される。かくして棒部材１３はフレーム構造体１１に着脱可能に取り付けられる。
【００３８】
ブラケット３２よりも相対的に低い位置にあるブラケット３１も、上述したブラケット３２と共通する構成である。係合部材３７は相対的に高い位置にあるブラケット３２にも着脱可能に取り付けられるし、相対的に低い位置にあるブラケット３１にも着脱可能に取り付けられる。かくして１対の棒部材１３は、相対的に高い位置と相対的に低い位置に選択的に取り付けられる。
【００３９】
次に敷板４１につき説明する。本実施例の敷板４１は、平面視長方形の乳幼児収容空間の底面を構成する平面視長方形であるため、敷板４１の輪郭線について便宜上、１対の長辺部分を第３辺、第４辺、一方側縁、他方側縁、あるいは両側縁と称する。また１対の短辺部分を第１辺、第２辺、一端部、他端部、あるいは両端部と称する。
【００４０】
図４に示すように、敷板４１は両端開口の細長い筒状部材４２を有する。筒状部材４２は布製であって、両側縁において敷板４１の下面に貼着されている。左右１対の筒状部材４２には、棒部材１３がそれぞれ挿通され、棒部材１３の両端が筒状部材４２から突出する。
【００４１】
敷板４１は、乳幼児の体重によって変形しないよう、十分な曲げ強度を有する硬質の板片を芯材として含み、表面が相対的に軟質な材料で形成される。また敷板４１は、図７に示すようにプレイヤード短辺方向に延びる屈曲線４３が３本等間隔に形成される。敷板４１はこれら屈曲線４３で折れ変形可能であり、プレイヤードの折り畳み時には四角筒にされて、図６に示すように折り畳まれたフレーム構造体１１を包囲する。また四角筒にされた敷板４１は、折り畳まれたフレーム構造体１１とともに、敷板４１の両側縁に連結される壁板５３，５４と１対の棒部材１３を束ねる。
【００４２】
敷板４１を展開して平坦に伸ばし敷板４１の下面に棒部材１３を取り付けた状態で、図１に示すように、硬質の棒部材１３の中央領域が３本の屈曲線４３と略直交に交差して敷板４１を支持する。
【００４３】
図９は、敷板４１および壁板を取り出して示す分解斜視図である。敷板４１は、短辺方向に延びる４枚の板片を、長辺方向に連結したものである。板片は例えば硬質プラスチックや剛性を有する軽金属版であって、両面を布状部材やフィルムシートで覆われる。そして隣り合う板片は屈曲線４３を介して接続される。屈曲線４３は布状部材やフィルムシートで形成される。敷板４１の表面には筒状部材４２および後述する筒状部材５６，５７を貼着、縫着、ないし熱溶着によって取付固定する。敷板４１には、プレイヤード一端部において第１の壁板５１が延設され、プレイヤード他端部において第２の壁板５２が延設される。第１壁板５１および第２壁板５２も、敷板４１と同じ強度を有する硬質の板片を芯材として含み、表面が相対的に軟質な材料で形成される。すなわち第１壁板５１、敷板４１、および第２壁板５２は１部材である。
【００４４】
敷板４１と第１壁板５１との境界線５５は屈曲線であって、図９に示すように第１壁板５１は境界線５５で９０度折れ変形して水平な敷板４１から立ち上がる。敷板４１と第２壁板５２との境界線５５も屈曲線であって、第２壁板５２も敷板４１から立ち上がる。
【００４５】
図９に示すように、敷板４１の両側縁には両端開口の筒状部材５６,５７が取付固定される。筒状部材５６,５７の一端開口部５８は第１壁板５１に取付固定され、筒状部材５６,５７の他端開口部５９は第２壁板５２に取付固定される。また筒状部材５６は敷板４１の一方側縁に沿って取付固定され、筒状部材５７は敷板４１の他方側縁に沿って取付固定される。
【００４６】
筒状部材５６,５７は布製であって、第１壁板５１を敷板４１上に倒すとともに第２壁板５２を敷板４１上に倒すことにより、敷板４１の上面に沿って折り畳まれる。また図９に示すように第１壁板５１を敷板４１に対して９０度の角度で立ち上げるとともに第２壁板５２を敷板４１に対して９０度の角度で立ち上げることにより、布製の筒状部材５６,５７も立ち上がり、敷板４１の四方が壁板５１，５２および筒状部材５６,５７で包囲される。
【００４７】
図９に矢で示すように、他端開口部５９から筒状部材５６に第３の壁板５３を挿入可能であり、他端開口部５９から筒状部材５７に第４の壁板５４を挿入可能である。筒状部材５６には第３壁板５３が挿入され、筒状部材５７には第４壁板５４が挿入されることにより、４枚の壁板５１〜５４が敷板４１から立ち上がって四方を包囲する。４枚の壁板５１〜５４の立ち上がり高さは、敷板４１の上面から１５ｃｍ以上ある。これにより、敷板４１に幼児用布団を敷き、幼児用布団の上に乳幼児を寝かせても、乳幼児の頭部が壁板５１〜５４と幼児用布団との間の隙間に挟まれる懸念が解消される。
【００４８】
敷板４１および壁板５１〜５４は箱状体６１を構成する。第１壁板５１は敷板４１の一方側縁から他方側縁まで広がり、第２壁板５２も敷板４１の一方側縁から他方側縁まで広がる。また第３壁板５３は敷板４１の一端部から他端部まで広がり、第４壁板５４も敷板４１の一端部から他端部まで広がる。したがって組み立てられた箱状体６１において、各壁板は隣り合う壁板と略隙間なく立ち上がる。
【００４９】
プレイヤード１０を組み立てる際には、敷板４１を展開し、１対の棒部材１３を敷板下面の筒状部材４２にそれぞれ通し、一端開口部５８または他端開口部５９から壁板５３，５４を挿入して箱状体６１を形成する。またフレーム構造体１１を展開し、展開されたフレーム構造体１１の上方から箱状体６１を入れ込んで、棒部材１３の端部をフレーム構造体１１のブラケット３１またはブラケット３２に取り付ける。これによりプレイヤード１０は使用状態にされる。
【００５０】
敷板４１の上面は乳幼児が遊んだり寝たりする場所を提供する。本実施例では特に、保護者がブラケット３１またはブラケット３２を選択して棒部材を取り付けることが可能である。このようにして敷板４１の高さ位置を選択的に変化させることにより、プレイヤードおよびベビーベッドとして使用可能である。
【００５１】
図２に二点鎖線で示すように、棒部材１３の端部を相対的に低いブラケット３１に係合させて敷板４１を相対的に低い第１位置にセットする。このように敷板４１をフレーム構造体１１の下部に取り付けることで、布状部材１２がフレーム構造体１１の上部まで直立し、乳幼児を遊ばせる枠囲い（プレイヤード）として好適に用いることができる。
【００５２】
図２に実線で示すように、棒部材１３の端部を相対的に高いブラケット３２に係合させて敷板４１を相対的に高い第２位置にセットする。このように敷板４１をフレーム構造体１１の上下方向中間部に取り付けることで、敷板４１が上述したプレイヤードの場合よりもフレーム構造体１１の上部に近づき、乳幼児を寝かせる寝台（ベビーベッド）として好適に用いることができる。
【００５３】
プレイヤード１０を折り畳む際には、上述とは逆の手順でフレーム構造体１１から箱状体６１を取り出して分解し、フレーム構造体１１を折り畳む。なお他端開口部５９から壁板５３，５４を出し入れする他、図示はしなかったが、一端開口部５８から壁板５３，５４を出し入れするものであってもよい。
【００５４】
次に本発明の他の実施例を説明する。図１０は本発明の他の実施例になるプレイヤードを示す平面図であり、図１１は同実施例のプレイヤードを示す正面図であり、図１２は同実施例のプレイヤードを示す側面図である。他の実施例につき、上述した実施例と共通する構成については同一の符号を付して説明を省略し、異なる構成について以下に説明する。図９に示す実施例では第１〜第４壁板５１〜５４が布状部材１２の内側に配置されるのに対し、他の実施例では、第１〜第４壁板５１〜５４が布状部材１２の外側面に取り付けられる。
【００５５】
布状部材１２の外周面には、上段の４個所に第１〜第４壁板５１〜５４よりもやや大きな矩形の布材が縫着されてポケット７１〜７４が設けられ、下段の４個所に第１〜第４壁板５１〜５４よりもやや大きな矩形の布材が縫着されてポケット８１〜８４が設けられる。ポケット７１〜７４およびポケット８１〜８４は、上縁が開口し、敷板４１から分離された板片である第１〜第４壁板５１〜５４をそれぞれ収容する袋部である。上段のポケット７１〜７４の下縁は、上段のブラケット３２と略同じ高さにされる。下段のポケット８１〜８４の下縁は、下段のブラケット３１と略同じ高さにされる。
【００５６】
なおポケット７１〜７４，８１〜８４は壁板５１〜５４をそれぞれ収容する袋部であればよく、図示しない変形例として、上縁に代えて長手方向一方縁に開口を設けてもよい。また、ポケットの開口を塞ぐために、ボタン、面ファスナ、スライドファスナ等をさらに設けてもよい。
【００５７】
ポケット７３につき説明すると、プレイヤード７０の外側から視認可能で、布状部材１２の外周面に縫着された矩形の布材７３ｓは、ポケット７３の外側生地を構成する。また布状部材１２は、ポケット７３の内側生地を構成する。他のポケットについても同様である。
【００５８】
図１１に矢印で示すように、第３壁板５３は、敷板４１と同じ高さとなるよう、ポケット７３に差し込まれ、敷板４１の第３辺に沿って配置される。あるいは敷板４１が下段にある場合、別の矢印で示すように、第３壁板５３はポケット８３に差し込まれ、敷板４１の第３辺に沿って配置される。第４壁板５４もポケット７４あるいはポケット８４に同様に差し込まれ、敷板４１の第４辺に沿って配置される。
【００５９】
図１２に矢印で示すように、第２壁板５２は、敷板４１と同じ高さとなるよう、ポケット７２に差し込まれ、敷板４１の第２辺に沿って配置される。あるいは敷板４１が下段にある場合、別の矢印で示すように、第２壁板５２はポケット８２に差し込まれ、敷板４１の第２辺に沿って配置される。第１壁板５１もポケット７１あるいはポケット８１に同様に差し込まれ、敷板４１の第１辺に沿って配置される。
【００６０】
敷板４１上の乳幼児収容空間から壁板５１〜５４に力を与えると、ポケット７１〜７４またはポケット８１〜８４の中で壁板５１〜５４が若干移動する。しかしながら、壁板５１〜５４が敷板４１の第１〜第４辺から１０ｍｍ以上離れることはない。あるいは、図１３および図１４に示すように、壁板５１〜５４が敷板４１の第１〜第４辺から離れないよう互いに連結するための連結構造をさらに有してもよい。
【００６１】
図１３は棒部材、敷板および壁板を取り出して示す分解斜視図であり、組立手順を矢印で表す。図１４は同実施例の敷板と壁板との連結箇所を拡大して示す断面図である。４枚の壁板５１〜５４には、複数の面ファスナ７５が縫着されている。短辺である第１壁板５１および第２壁板５２には、長手方向２か所に間隔をおいて面ファスナ７５が縫着される。長辺である第３壁板５３および第４壁板５４には、長手方向３か所に間隔をおいて面ファスナ７５が縫着される。面ファスナ７５は壁板５１〜５４の下縁よりも下方に垂れ下がって延びる。また、敷板４１の下面には、面ファスナ７５に強力に貼着する面ファスナ素材７９が縫着されている。
【００６２】
各ポケット７１〜７４，８１〜８４の底部には、布状部材１２を貫通するスリット８５が形成される。スリット８５は水平方向に延び、面ファスナ７５とそれぞれ対応する。そして壁板５１をポケット７１に差し込むと、図１４の断面図に示すように面ファスナ７５がスリット８５を貫通して敷板４１の下面に回り込み、面ファスナ７５が敷板４１の下面に貼着する。これにより、壁板５１の下縁と敷板４１の第１辺とが連結される。他の壁板５２〜５４の下縁も同様に、敷板４１の第２辺〜第４辺にそれぞれ連結される。
【００６３】
なお図示はしなかったが、面ファスナ７５に代えて、Ｌ字形状の金具を用いて４枚の壁板５１〜５４を敷板４１の第１辺〜第４辺にそれぞれ連結してもよい。
【００６４】
あるいは面ファスナ７５に代えて、スライドファスナを用いてもよい。図１５はかかる変形例の棒部材、敷板および壁板を取り出して示す分解斜視図であり、組立手順を矢印で表す。図１６は同実施例の敷板と壁板との連結箇所を拡大して示す断面図である。スライドファスナ７６は、１対の務歯列７７ａ，７７ｂと、１対の務歯列を開閉するスライダ７８とを有する。
【００６５】
第１壁板５１の内側面の下縁には、一方の務歯列７７ａが設けられる。務歯列７７ａは第１壁板５１の長手方向一端から他端まで延びる。また敷板４１の上面の各辺には、他方の務歯列７７ｂが設けられる。務歯列７７ｂは各辺の一端から他端まで延び、務歯列７７ａと等しい長さである。そして一方の務歯列７７ａにはスライドファスナ７６のスライダ７８が取り付けられる。
【００６６】
各ポケット７１〜７４，８１〜８４の底部には、布状部材１２を貫通するスリット８６が形成される。スリット８６は水平方向に延び、その長さは対応する務歯列７７ａ，７７ｂの長さと等しい。なお壁板５１をポケット７１に差し込むと、スリット８６よりも下方のポケット底部８７が、壁板５１の下縁を受け止める。したがって、壁板５１がスリット８６から抜け落ちることはない。
【００６７】
壁板５１をポケット７１に差し込むと、図１６の断面図に示すように１対の務歯列７７ａ，７７ｂがスリット８６を通して向き合う。スライダ７８を務歯列７７ｂの一端に係合させ、１対の務歯列７７ａ，７７ｂに沿って動かすことにより、壁板５１の下縁と敷板４１の第１辺とが連結される。他の壁板５２〜５４の下縁も同様に、敷板４１の第２辺〜第４辺にそれぞれ連結される。
【００６８】
ところで本実施例のプレイヤード１０は、一端側および他端側がそれぞれフレーム構造体１１に取り付けられ、中央領域が屈曲線４３と交差して敷板４１を支持する棒部材１３を備えることから、乳幼児の体重により屈曲線４３で敷板４１が折れ変形することがなく、さらに乳幼児が敷板４１の上で活発に活動しても敷板４１が折れ変形することがなく、乳幼児を安定して支持することができる。また、４本の柱材１４のみが敷板４１を支持することが可能となり、従来のプレイヤードのように敷板から下方に延びて設置床面に接地する短脚をさらに設ける必要がない。したがって、敷板４１と設置床面Ｓとの間の隙間空間をすっきりさせることができる。
【００６９】
また本実施例によれば、フレーム構造体１１は、乳幼児収容空間の周囲に沿って間隔をおいて配置される複数の柱材１４と、隣り合う柱材同士を互いに連結する複数の横材１５Ｌ，１５Ｒ，１６とを含み、少なくとも横材１５Ｌ，１５Ｒが、中程で折れ変形可能であり、棒部材１３は直線棒状体とされ、平面視において、中程で折れ変形可能な横材１５Ｌ，１５Ｒと平行に配置される。これにより、棒部材を直線状の丸パイプ、角パイプ、あるいはアングル部材といった棒状体にすることが可能となり、曲げ強度を大きくすることができる。したがって折れ変形可能なプレイヤードにおいて、簡易な構成によりフレーム構造体の剛性を向上させることができる。
【００７０】
また本実施例によれば、乳幼児収容空間は平面視において矩形であり、柱材１４は矩形の４隅に配置され、横材１５Ｌ，１５Ｒ，１６は矩形の４辺を構成し、これら横材のうち平行に延びる２辺１対の横材１５Ｌ，１５Ｒが中程で折れ変形可能であり、棒部材１３は２本１対とされ、その両端部が、中程で折れ変形可能な横材１５Ｌ，１５Ｒの両端に配置された２本の柱材１４にそれぞれ取り付けられ、敷板４１は乳幼児収容空間の矩形の４辺に対応する第１辺〜第４辺を輪郭線とし、これらのうち第１辺および第２辺は互いに平行に延び、これらのうち第３辺および第４辺は第１辺および第２辺と直交して延び棒部材１３にそれぞれ支持され、屈曲線４３は第１辺および第２辺と平行に延びる。これにより矩形のプレイヤード１０において乳幼児を安定して支持することができる。
【００７１】
また本実施例によれば、敷板４１はその下面に固定されて棒部材１３が挿通される布または柔らかいシート製の筒状部材４２を有する。これにより乳幼児が敷板４１上で活発に動いても敷板４１が前後左右に揺れ動くことがなく、乳幼児を安定して支持することができる。
【００７２】
また本実施例によれば、柱材１４は、相対的に低い第１の位置に、棒部材１３の端部が取り付けられて該棒部材を相対的に低い位置で水平に支持する第１のブラケット３１を有し、相対的に高い第２の位置に、棒部材１３の端部が取り付けられて該棒部材を相対的に高い位置で水平に支持する第２のブラケット３２を有することから、棒部材１３および敷板４１は相対的に低い第１位置および相対的に高い第２位置に選択可能に取り付けられる。このように相対的に低いフレーム構造体の第１位置に取り付けることにより、敷板の高さをプレイヤードの下部にすることが可能となり、乳幼児がフレーム構造体を乗り越えてプレイヤードから出ることがない。したがってプレイヤードとして好適に使用することができる。また敷板および棒部材を、相対的に高いフレーム構造体の第２位置に取り付けることにより、敷板の高さをプレイヤードの中央部ないし上部にすることが可能となり、乳幼児が眠るベビーベッドとして好適に使用することができる。そして保護者は乳幼児まで容易に手をのばして世話することができる。かくして保護者は、本実施例のプレイヤード１０を、乳幼児が遊ぶプレイヤードとして、あるいは乳幼児が眠るベビーベッドとして、好適に兼用することができる。
【００７３】
また本実施例によれば、ブラケット３１，３２および棒部材１３の端部のいずれか一方は、係合部としての突起部３８を有し、ブラケット３１，３２および棒部材１３の端部の残る他方は、水平方向移動不能かつ上方移動可能に突起部３８と係合する被係合部としてのスリット３３および凹部３４を有する。したがって、ブラケット３１，３２が棒部材１３を介して敷板４１および敷板上の乳幼児を支持しつつ、乳幼児の体重を利用して棒部材１３がブラケット３１，３２から外れることを防止する外れ止めにもなり、乳幼児を安定して支持することができる。
【００７４】
また本実施例によれば、敷板４１の上面から１５ｃｍ以上立ち上がって四方を包囲する壁板５１〜５４をさらに備える。これにより、敷板４１は、柔らかく変形自在な布状部材１２ではなく、硬質の壁板５１〜５４に囲繞される。したがって、敷板４１上に幼児用布団を敷き幼児用布団の上で乳幼児が睡眠中に、乳幼児の頭部が布状部材１２と幼児用布団との間に挟まれる懸念を解消することができる。
【００７５】
また本実施例によれば、壁板は、敷板４１の第１辺に取り付けられる板片である第１壁板５１と、敷板４１の第２辺に取り付けられる板片である第２壁板５２と、敷板４１の第３辺に取り付けられる板片である第３壁板５３と、敷板４１の第４辺に取り付けられる板片である第４壁板５４とを含む。これら敷板４１および壁板５１〜５４によって構成される箱状体６１は立体構造であり、敷板のみの平板構造と比較して強度が大きいため、敷板４１の強度を従来のプレイヤードの敷板よりも大きくすることが可能となる。
【００７６】
また本実施例によれば、第１壁板５１は敷板４１の第１辺を折れ変形可能な境界線５５として敷板４１と接続し、第２壁板５２は敷板４１の第２辺を折れ変形可能な境界線５５として敷板４１と接続する。このように敷板と壁板が連続することから、プレイヤード１０の折り畳み作業および組み立て作業を円滑に行うことができる。
【００７７】
また本実施例によれば、敷板４１は、第３辺に固定されてこの辺と平行に延びる布または柔らかいシート製の筒状部材５６と、第４辺に固定されてこの辺と平行に延びる布または柔らかいシート製の筒状部材５７とを有し、第３壁板５３は第３辺の筒状部材５６に取り外し可能に挿通され、第４壁板５４は第４辺の筒状部材５７に取り外し可能に挿通される。これにより、筒状部材５６，５７は壁板５３，５４が挿通されない状態で屈曲線４３に追従して容易に折り畳まれる。したがって、敷板４１を容易に折り畳むことができる。またプレイヤード１０の使用状態で、壁板５３，５４が屈曲線４２と直交して敷板４１と連結されることから、敷板４１の曲げ変形を一層防止することができる。
【００７８】
また本実施例によれば、敷板４１は、第３辺に固定されてこの辺と平行に延びるとともに両端が第１壁板５１および第２壁板５２にそれぞれ固定される布または柔らかいシート製の筒状部材５６と、第４辺に固定されてこの辺と平行に延びるとともに両端が第１壁板５１および第２壁板５２にそれぞれ固定される布または柔らかいシート製の筒状部材５７を有する。したがって敷板４１および壁板５１〜５４が、上面を有しない５面の箱状体６１を構成することが可能となり、乳幼児を好適に支持して収容することができる。
【００７９】
また本実施例によれば、フレーム構造体１１の外周を包囲する布状部材１２をさらに備え、壁板は、敷板４１の第１辺に沿って配置される板片である第１壁板５１と、敷板４１の第２辺に沿って配置される板片である第２壁板５２と、敷板４１の第３辺に沿って配置される板片である第３壁板５３と、敷板４１の第４辺に沿って配置される板片である第４壁板５４とを含み、これら第１〜第４壁板５１〜５４は、布状部材１２の外側面に取り付けられる。したがって、第１〜第４壁板５１〜５４が乳幼児収容空間の外に配置され、乳幼児が第１〜第４壁板５１〜５４の上縁に触ることがない。
【００８０】
また本実施例によれば、布状部材１２の外周面には、第１〜第４壁板５１〜５４をそれぞれ収容するポケット７１〜７４およびポケット８１〜８４が設けられる、したがって、ポケット７１〜７４およびポケット８１〜８４で壁板５１〜５４を保持することができ、壁板５１〜５４をフレーム構造体１１に確実に取り付けることができる。
【００８１】
また本実施例によれば、布状部材１２の内側に位置する敷板４１と、布状部材１２の外側に位置する第１〜第４壁板５１〜５４とを互いに連結する面ファスナ７５あるいはスライドファスナ７６をさらに有する。したがって、第１〜第４壁板５１〜５４を敷板４１に確実に連結することができ、敷板４１上の乳幼児が第１〜第４壁板５１〜５４を押しても、壁板と敷板との間に隙間が生じない。
【００８２】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【産業上の利用可能性】
【００８３】
この発明になるベビーベッドは、育児用家具ないし育児用器具において有利に利用される。
【符号の説明】
【００８４】
１０  プレイヤード（ベビーベッド）、    １１  フレーム構造体、    １２  布状部材、    １３  棒部材、    １４  柱材、    １５Ｌ  横材（前枠）、    １５Ｒ，１６  横材、    １７  クロスパイプ、    １８  スライド部材、    １９  留め具、    ２０  中央連結部材、    ２１  車輪、    ２２  車輪カバー、    ２３  中央連結部材、    ３１，３２  ブラケット、    ３３  スリット、    ３４  凹部、    ３７  係合部材、    ３８  突起部、    ３９  溝、    ４１  敷板、    ４２  筒状部材、    ４３  屈曲線、    ５１  第１壁板、    ５２  第２壁板、    ５３  第３壁板、    ５４  第４壁板、    ５５  境界線、    ５６，５７  筒状部材、    ５８  一端開口部、    ５９  他端開口部、    ６１  箱状体、    ７０  プレイヤード、    ７１〜７４  ポケット、    ７５  面ファスナ、    ７６  スライドファスナ、    ８１〜８４  ポケット、    ８５，８６  スリット、    Ｓ  プレイヤード設置床面。
【図１】
0005886735.tif 000002
【図２】
0005886735.tif 000003
【図３】
0005886735.tif 000004
【図４】
0005886735.tif 000005
【図５】
0005886735.tif 000006
【図６】
0005886735.tif 000007
【図７】
0005886735.tif 000008
【図８】
0005886735.tif 000009
【図９】
0005886735.tif 000010
【図１０】
0005886735.tif 000011
【図１１】
0005886735.tif 000012
【図１２】
0005886735.tif 000013
【図１３】
0005886735.tif 000014
【図１４】
0005886735.tif 000015
【図１５】
0005886735.tif 000016
【図１６】
0005886735.tif 000017